(57)【要約】【課題】ＲＦＩＤチップを搭載しているか否かに関わらずコンテンツ情報を再生することができ、更に返却期限の忘れを防止することができる情報再生装置及びこの情報再生装置を用いたレンタルシステムを提供する。【解決手段】  光ディスク大容量記憶媒体のコンテンツ情報記録領域外に書込まれたコンテンツタイトル及び返却期限日を含む貸出条件情報を読み出す読出手段と、日付及び時刻を計時する時間管理手段と、読出手段により読み出された返却期限日と、時間管理手段により読み出された現在の日付及び時刻を比較する比較手段と、比較の結果、現在の日付及び時刻が返却期限日に達している場合に、返却期限日を外部に報知する出力手段と、光ディスク大容量記憶媒体を載置するトレイにこの光ディスク大容量記憶媒体が載置されていることを検出するとトレイを開扉して光ディスク大容量記憶媒体を外部に搬出するトレイ制御手段を有する。【選択図】  図１
2006277886.tif 000002
【特許請求の範囲】
【請求項１】
光学式大容量記憶媒体のデータ領域に予めコンテンツ情報が記録され、当該データ領域以外の領域に少なくとも返却期限日を含む貸出条件情報が記録されている前記光学式大容量記憶媒体の再生を行う情報再生装置であって、
光学式大容量記憶媒体を載置する可動トレイと、
前記可動トレイに光学式大容量記憶媒体が載置されたか否かを検知する検知手段と、
前記光学式大容量記憶媒体が載置されていることを検知した場合に当該光学式大容量記憶媒体から前記コンテンツ情報及び前記貸出条件情報を読み出す読出手段と、
返却期限日時を管理する時間管理手段と、
前記読出手段で読み出された貸出条件情報に含まれる返却期限日時と、前記時間管理手段で管理されている返却期限日時を比較する比較手段と、
前記比較手段で比較された結果、前記貸出条件情報に含まれる返却期限日時が時間管理手段で管理されている返却期限日時に達していると判定した場合には返却期限日時を含む出力信号を生成して出力する出力手段と、
前記出力信号を外部に視覚的に若しくは音声で外部報知する外部報知手段と、
前記出力信号に基づいて、前記可動トレイと共に光学式大容量記憶媒体を外部に搬出する搬出信号を生成して前記可動トレイに出力する可動トレイ制御手段と、
を少なくとも備えることを特徴とする情報再生装置。
【請求項２】
光学式大容量記憶媒体のデータ領域に予めコンテンツ情報が記録され、当該データ領域以外の領域に少なくとも返却期限日を含む貸出条件情報が記録されている前記光学式大容量記憶媒体を貸借するレンタルシステムであって、
当該光学式大容量記憶媒体から前記コンテンツ情報及び前記貸出条件情報を読み出す読出手段と、
予め設定された返却期限日時を管理する時間管理手段と、
前記読出手段で読み出された貸出条件情報に含まれる返却期限日時と、前記時間管理手段で管理されている返却期限日時を比較する比較手段と、
前記比較手段で比較された結果、前記貸出条件情報に含まれる返却期限日時が前記時間管理手段で管理されている返却期限日時に達していると判定した場合には返却期限日時を含む出力信号を生成して出力する出力手段と、
前記出力信号に基づいて、前記可動トレイと共に光学式大容量記憶媒体を外部に搬出する搬出信号を生成して前記可動トレイに出力する可動トレイ制御手段と、
前記出力手段に接続され、有線若しくは無線により通信回線網と送受信可能に接続される通信回線接続手段と、
前記通信回線手段を介して前記出力手段から出力される出力信号を受信して前記光学式大容量記憶媒体の返却を促す通知を行う少なくとも１個以上の情報端末装置と、
を備えることを特徴とするレンタルシステム。
【発明の詳細な説明】
【技術分野】
【０００１】
本発明は、レンタル店で貸借するＣＤ、ＤＶＤ、ＢＤ（Blu-ray Disc）、ＨＤ−ＤＶＤなどの光学式大容量記録媒体のコンテンツ貸出情報を読出する情報再生装置に関し、特に、返却期限を管理することで利用者の返却忘れ及び返却漏れを防止する情報再生装置及びレンタルシステムに関する。
【背景技術】
【０００２】
レンタルビデオ店でのビデオテープ、ＤＶＤ、あるいはミュージック用ＣＤなどの貸出最大期限は１週間というのが一般的である。しかし返却を忘れて返却期限の１週間を遥かに越えることや、ビデオを鑑賞せずに返却しなければならないというケースが多々あった。
【０００３】
このようなケースに対して特許文献１記載の技術は、利用者がレンタル店でＲＦＩＤチップ搭載記録媒体を借りる際に、その貸出条件（返却期限あるいは使用回数等）をレンタル店でＲＦＩＤチップに書込み、又は貸出条件を利用者自身がレンタル店内に設置された自動貸出端末機でＲＦＩＤチップに書込んで、貸出条件に応じたレンタル料金と保証金を支払ったうえで記録媒体を借りるというシステムが提案されている。
【０００４】
そしてレンタル後、自宅でＲＦＩＤリーダー／ライター付きプレーヤーでコンテンツを再生したときに、プレーヤーに内蔵される比較手段により再生時の条件（日時など）と記録媒体に書込まれている貸出条件が比較され、再生時の条件が貸出条件に達していることを検出すると記録媒体を使用禁止状態（復号化鍵消滅）にしてコンテンツの再生を停止するものである。
【０００５】
使用禁止状態になった記録媒体を返却するときは、返却期限とは別に予め余裕をもたせて設定された保証金返却期間内に返却すれば良い。利用者が保証金返却期間内に記録媒体を返却すれば保証金を払戻し、保証金返却期間を過ぎた場合には保証金を没収して記録媒体そのものを利用者の所有物とする。また返却しようとする記録媒体は、媒体情報管理センターに加盟しているレンタル店ならばどの店舗でも返却できるように構成されている。
【０００６】
このようなＲＦＩＤチップ搭載記録媒体および再生装置の具体的な技術は特許文献２に開示されている。図７及び図８に示すように、ＲＦＩＤチップ搭載記録媒体１１１は、ポリカーボネートからなるディスク本体１１１ａと、このディスク本体１１１ａの中心孔１１１ｂの孔縁と所定の間隔をあけて中心孔１１１ｂ周囲のディスク本体１１１ａ表面に形成された記録膜１１１ｃと、この記録膜１１１ｃ上にアルミニウム又は金を蒸着することにより形成された反射膜１１１ｄと、この反射膜１１１ｄの表面に形成された紫外線硬化樹脂からなる保護膜１１１ｅとを有する。
【０００７】
この記録媒体１１１は、音声や映像を記録し且つ記録された音声等を再生することが可能なＤＶＤ−ＲＡＭ（以下、ＤＶＤという）である。音声や映像はディスク本体１１１ａの裏面側から照射されるレーザ光により記録膜１１１ｃにビットとして形成され、このレーザ光により上記記録膜１１１ｃのビットが解析されて再生される構成を有する。またＲＦＩＤチップ１１４のコイル１１６はディスク本体１１１ａの中心孔１１１ｂの周囲を１又は２回以上巻回するように形成され、所定の周波数の電波に共振するように構成される。
【０００８】
ＩＣチップ１１７はコイル１１６の両端に接続される。上記コイル１１６及びＩＣチップ１１７はディスク本体１１１ａの内部に設けられる。具体的には、コイル１１６は絶縁性基材シート１１８に積層したアルミニウム箔や銅箔等の導電性材料をエッチング法又は打抜き法等で不要部分を除去することにより渦巻き状に形成され、コイル１１６の内縁と中心孔１１１ｂの孔縁との間隔Ａは０．１ｍｍ以上であって、コイル１１６の外縁と反射膜１１１ｄの内縁との間隔Ｂは２．５ｍｍ以上に形成される。
【０００９】
ＩＣチップ１１７はコイル１１６の両端に接続された状態で絶縁性基材シート１１８に搭載され、コイル１１６及びＩＣチップ１１７を搭載した絶縁性基材シート１１８を金型に装着した状態で成形することによりディスク本体１１１ａが形成される。これによりＲＦＩＤ１１４は中心孔１１１ｂの孔縁と反射膜１１１ｄの内縁との間のディスク本体１１１ａ内部に設けられる。なお、ＲＦＩＤチップ１１４はディスク本体の内部ではなく、ディスク本体の表面に設けてもよい。
【００１０】
次に、図９を参照してＲＦＩＤチップ１１４の具体的な構成を説明する。同図に示すようにＩＣチップ１１７は、電源回路１１７ａと、無線周波数（ＲＦ）回路１１７ｂと、変調回路１１７ｃと、復調回路１１７ｄと、ＣＰＵ１１７ｅと、ＣＰＵ１１７ｅに接続され且つＤＶＤ１１１に記録された番組に関する情報を記憶するメモリ１１７ｆとを有する。
【００１１】
電源回路１１７ａはコンデンサ（図示せず）を内蔵し、このコンデンサはコイル１１６とともに共振回路を形成する。このコンデンサにはコイル１１６が特定の共振周波数の電波を受信したときにその電磁誘導で生じる電力が充電される。電源回路１１７ａはこの電力を整流し安定化してＣＰＵ１１７ｅに供給し、ＩＣチップ１１７を活性化する。メモリ１１７ｆはＲＯＭ（read only memory）、ＲＡＭ（random access memory）及びＥＥＰＲＯＭ（electrically erasable programable read only memory）を含み、ＣＰＵ１１７ｅの制御の下で書込・読出手段２００からの電波のデータ通信による書込みコマンドに応じてデータの書込みが行われるとともに、書込・読出手段２００からの読出しコマンドに応じて上記記憶されたデータの読出しが行われる。
【特許文献１】特開２００３−１８７５２４号公報
【特許文献２】特開２００１−２９７５６８号公報
【発明の開示】
【発明が解決しようとする課題】
【００１２】
ところで上述した従来のレンタルシステムは、ＲＦＩＤリーダー／ライター付きプレーヤーを所有し、且つＲＦＩＤチップ搭載記録媒体をレンタルした場合にのみ利用できるサービスであり、ＲＦＩＤチップを搭載しない記録媒体では再生できないという問題があった。
【００１３】
また返却期限は、記録媒体をプレーヤーに設定し、再生ができないとき初めて返却期限が過ぎていると分かるため、返却期限の１週間を遥かに越えてレンタルしてしまうという場合があるという問題が依然として存在していた。
【００１４】
本発明は、上記課題を鑑みてなされたもので、その目的は、レンタルした光学式大容量記憶媒体の返却期限忘れを防止すると共に、貸出条件情報を記録するＲＦＩＤチップが搭載された記憶媒体でなくても専用の情報再生装置を用いることなくコンテンツ情報を再生することができる情報再生装置及びレンタルシステムを提供することにある。
【課題を解決するための手段】
【００１５】
上記目的を達成するために請求項１記載の本発明は、光学式大容量記憶媒体のデータ領域に予めコンテンツ情報が記録され、このデータ領域以外の領域に少なくとも返却期限日を含む貸出条件情報が記録されている光学式大容量記憶媒体の再生を行う情報再生装置であって、光学式大容量記憶媒体を載置する可動トレイと、可動トレイに光学式大容量記憶媒体が載置されたか否かを検知する検知手段と、光学式大容量記憶媒体が載置されていることを検知した場合にこの光学式大容量記憶媒体からコンテンツ情報及び貸出条件情報を読み出す読出手段と、返却期限日時を管理する時間管理手段と、読出手段で読み出された貸出条件情報に含まれる返却期限日時と、時間管理手段で管理されている返却期限日時を比較する比較手段と、比較手段で比較された結果、貸出条件情報に含まれる返却期限日時が時間管理手段で管理されている返却期限日時に達していると判定した場合には返却期限日時を含む出力信号を生成して出力する出力手段と、出力信号を外部に視覚的に若しくは音声で外部報知する外部報知手段と、出力信号に基づいて可動トレイと共に光学式大容量記憶媒体を外部に搬出する搬出信号を生成して可動トレイに出力する可動トレイ制御手段とを少なくとも備えることを要旨とする。
【００１６】
また上記目的を達成するために請求項２記載の本発明は、光学式大容量記憶媒体のデータ領域に予めコンテンツ情報が記録され、このデータ領域以外の領域に少なくとも返却期限日を含む貸出条件情報が記録されている光学式大容量記憶媒体を貸借するレンタルシステムであって、この光学式大容量記憶媒体からコンテンツ情報及び貸出条件情報を読み出す読出手段と、予め設定された返却期限日時を管理する時間管理手段と、読出手段で読み出された貸出条件情報に含まれる返却期限日時と、時間管理手段で管理されている返却期限日時を比較する比較手段と、比較手段で比較された結果、貸出条件情報に含まれる返却期限日時が時間管理手段で管理されている返却期限日時に達していると判定した場合には返却期限日時を含む出力信号を生成して出力する出力手段と、出力信号に基づいて、可動トレイと共に光学式大容量記憶媒体を外部に搬出する搬出信号を生成して可動トレイに出力する可動トレイ制御手段と、出力手段に接続され、有線若しくは無線により通信回線網と送受信可能に接続される通信回線接続手段と、通信回線手段を介して出力手段から出力される出力信号を受信して光学式大容量記憶媒体の返却を促す通知を行う少なくとも１個以上の情報端末装置とを備えることを要旨とする。
【発明の効果】
【００１７】
本発明によれば、レンタルした光学式大容量記憶媒体の返却期限忘れを防止すると共に、貸出条件情報を記録するＲＦＩＤチップが搭載された記憶媒体でなくても専用の情報再生装置を用いることなくコンテンツ情報を再生することができる情報再生装置及びレンタルシステムを提供することができる。
【発明を実施するための最良の形態】
【００１８】
本発明を実施するための最良の形態を図面を参照して説明する。
【００１９】
図１は、本発明に係る情報再生装置１の構成を示すブロック図である。
【００２０】
この情報再生装置１は、光学式大容量記憶媒体１１のデータ領域に予め記録されている音楽、映画、映像、ゲーム等のコンテンツ情報を再生する情報再生装置であって、光学式大容量記憶媒体１１にＲＦＩＤチップが搭載されている場合には、ＲＦＩＤチップに記録されているコンテンツタイトルや返却期限日等の貸出条件情報を読出して事前に利用者に対して返却期限日の報知を行い、ＲＦＩＤチップが搭載されていない場合は可及的速やかにコンテンツ再生を行う情報再生装置である。
【００２１】
この情報再生装置１は、光学式大容量記憶媒体（以下、単に光ディスクと称す。）１１を載置する可動トレイ１０と、この可動トレイ１０に光ディスク１１が載置されたか否かを検知する検知手段（図示せず）と、光ディスク１１が載置されていることを検知した場合に光ディスク１１のデータ領域からコンテンツ情報を読み出すと共にＲＦＩＤチップが搭載されている場合はこのＲＦＩＤチップから貸出条件情報を読み出す読出手段１３と、返却期限日時を管理する時間管理手段１４と、読出手段１３で読み出された貸出条件情報に含まれる返却期限日時と時間管理手段１４で管理されている返却期限日時を比較する比較手段１８と、比較手段１８で比較された結果、貸出条件情報に含まれる返却期限日時が時間管理手段１４で管理されている返却期限日時に達していると判定した場合には返却期限日時を含む出力信号を外部報知手段に出力する出力手段と、この出力信号に基づいて可動トレイ１０に駆動信号を出力して光ディスクを装置外部に搬出する可動トレイ制御手段１７を少なくとも備え、可動トレイ１０に載置した光ディスク１１に予め記憶されている返却期限日時が時間管理手段に予め設定した返却期限日時に達していることを検出した場合は、光ディスク１１の返却を促すメッセージを外部報知すると共に、可動トレイ１０を装置外部に強制的に搬出することで光ディスクの返却期限日を通知する。尚、この情報再生装置１は上記機能手段を制御するシステム制御手段１５と、外部からの指令をシステム制御手段１５に伝達する外部入力手段１９を備えている。
【００２２】
ここで可動トレイ１０は光ディスク１１を載置するトレイであり、後述する可動トレイ制御手段１７からの指令を受けてトレイ自体を装置内外に搬入・搬出する機能部である。この可動トレイ１０には、光ディスク１１が載置されているか否か検知する検知手段が備えられている。この検知手段としては、例えば光ディスク面を挟んで対向配置される発光手段と受光手段で構成されるものが挙げられる。検知手段はこれに限定されるものではなく、光ディスク１１をトレイに載置したときに発生する圧力を検知して載置の有無を検出する構成であっても良い。
【００２３】
ここで光ディスク１１とは、ＣＤ（Compact Disk）、ＤＶＤ（Digital Video Disk、（DVD-R
,DVD-RWを含む））、ＢＤ（Blu-ray Disk）、ＨＤ−ＤＶＤ（High Definition DVD）、及び図７及び図８で説明したＲＦＩＤチップを搭載したＲＦＩＤチップ搭載型記録媒体などを指している。これら光ディスク１１のデータ領域には、映像、音楽、その他情報が記録されている。またＲＦＩＤチップ搭載型記録媒体の場合には、このＲＦＩＤチップにコンテンツタイトルや返却期限日などの貸出条件情報がレンタル店に設置されているＲＦＩＤリーダー／ライターにより記録されている。
【００２４】
次に、図２を参照して記録媒体再生手段１２の具体的な構成を説明する。
【００２５】
この記録媒体再生手段１２は、ＲＦＩＤチップが搭載されている場合にＲＦＩＤチップ搭載記録媒体からＲＦ信号を再生するピックアップ１２１と、このピックアップ１２１により再生されたＲＦ信号が供給されこのＲＦ信号の２値化処理等を行うＲＦ回路１２２と、ＲＦ回路１２２からの再生データが供給されエラー訂正等のデコード処理をするデータデコーダ１２３と、データデコーダ１２３によりデコード処理がされた再生データをビデオ圧縮データ、オーディオ圧縮データに振り分けるデマルチプレクサ１２４と、デマルチプレクサ１２４で分離されたビデオ圧縮データを取得してデコードするビデオデコーダ１２５と、デマルチプレクサ１２４で分離されたオーディオ圧縮データを取得してデコードするオーディオデコーダ１２７を少なくとも備える。ビデオデコーダ１２５の出力はビデオ出力端子２１に接続されており、オーディオデコーダの出力はオーディオ出力端子２２に接続されている。この端子に表示装置及び音声装置をそれぞれ接続することによりこれら装置から映像及び音声情報を外部に再生放映する。
【００２６】
図１に戻り、時間管理手段１４は、現在の日付及び時刻を管理する機能部である。この機能部はタイマーを内蔵しており、システム制御手段１５からの指令を受けてタイマーから現在の日付及び時刻を読み込んでシステム制御手段１５に通知する機能を有する。
【００２７】
一方、比較判定手段１８は、ＲＦＩＤ読出手段１３から読み込んだ返却期限日と時間管理手段１４から読み込んだ現在の日付及び時間を比較して、この日付及び時刻がＲＦＩＤチップ搭載記録媒体に記録されている返却期限日又は利用者が指定した設定日（例えば返却期限の１日前など）であるか否か判定する機能部である。判定の結果、返却期限日又は利用者の指定した設定日である場合には、システム制御手段１５にその旨の通知を行う。ここでシステム制御手段１５は、この通知を受けて返却期限日が利用者の指定した設定日（例えば返却期限の１日前など）に達したことを出力手段１６に出力する。
【００２８】
出力手段１６とは、例えば外部報知手段として情報再生装置１のフロントパネルに設けられた表示画面などに出力信号を表示用信号に変換して出力する機能部である。外部報知手段はは表示画面に限らず、外部に音声通知が可能なスピーカであってもよい。利用者が情報再生装置１の近くにいない場合は、予め設定した時刻に繰返し音声通知を行うようにアラーム機能を備える構成としても良い。これにより利用者に対する注意勧告の効果を更に向上させることができる。
【００２９】
可動トレイ制御手段１７は、返却期限日が近づいていることを検出した場合であって、可動トレイ１０に光ディスク１１が載置されていることを検出したときに強制的に可動トレイを装置外部に搬出する搬出信号を可動トレイ１０に対して出力する機能部である。
【００３０】
システム制御手段１５は、上記各種手段の動作を制御する機能部である。例えば、記録媒体再生手段１２に再生指示信号を出力してコンテンツ情報の再生を開始させる機能や、ＲＦＩＤ読出手段１３に返却期限日の取得指令を出力して返却期限日を取得すると共に、時間管理手段１４から現在の日時情報を取得してこれらを併せて比較判定手段１８に出力する機能を有する。また比較判定手段１８から返却期限日時に迫っていること（若しくは返却期限日に達したこと）を示す報告信号を取得すると、出力手段１６に対して返却期限が迫っていることを示す警告発生指令信号を出力して、利用者に対して返却を促す警告メッセージを発する。
【００３１】
外部入力手段１９は、例えば情報再生装置のフロントパネルに設けられた操作ボタンを指している。利用者はこのボタンを操作してコンテンツ情報の再生開始や停止、及び返却期限警告の通知が発せられたときにその通知を確認したこと示すボタン操作を行う。
【００３２】
次に、図３を参照して本発明に係る情報再生装置１の動作を説明する。図３は、情報再生装置１に設定された光ディスク１１の返却期限日を外部報知する手順を説明するためのフローチャートである。
【００３３】
まず、レンタル店にてＲＦＩＤチップにコンテンツタイトルや貸出期限が記録されたＲＦＩＤチップ搭載記録媒体をレンタルして、この記録媒体を情報再生装置１の可動トレイ１０に設定する（ステップＳ１）。
【００３４】
システム制御手段１５は、ＲＦＩＤ読出手段１３を駆動してＲＦＩＤチップが搭載されているか否かを検出し、ＲＦＩＤチップが搭載されていることを検出した場合はＲＦＩＤチップに記録されているコンテンツタイトルや返却期限データを読み込む。ここでＲＦＩＤチップが搭載されていないことを検出した場合は、返却期限日を検出する作業工程を終了してコンテンツ再生動作に移行する（ステップＳ２）。
【００３５】
ステップ２において返却期限データが記録されていることを検出した場合は、システム制御手段１５は時間管理手段１４から現在の日付や時刻などを読み取り、これと同時にＲＦＩＤ読出手段１３から読み込んだ貸出期限日時と比較する（ステップＳ３）。
【００３６】
比較判定手段１８は、時間管理手段１４から取得した現在の日時がＲＦＩＤチップ搭載記録媒体の返却期限日や利用者が指定した設定日（例えば返却期限の１日前など）に達しているか判断する（ステップＳ４）。
【００３７】
判断の結果、現在の日時が返却期限日や利用者が指定した設定日に達していると判断した場合には、出力手段１６に警告発生指令信号を出力して、返却期限日や利用者の指定した設定日であることを通知する警告メッセージを出力手段１６に表示させ、利用者に返却を促す注意勧告を行う（ステップＳ５）。
【００３８】
利用者が返却期限日を認識して、情報再生装置１のフロントパネルの表示キャンセルボタンを押すとシステム制御手段１５に報知停止信号が出力され、出力手段１６の表示が停止する（ステップＳ６〜Ｓ７）。ここで音声報知を行っている場合は音声報知が停止する。
【００３９】
システム制御手段１５は、ＲＦＩＤチップ搭載記録媒体がトレイから取り出されたか否かを検出する（ステップＳ８）。トレイにＲＦＩＤチップ搭載記録媒体が載置されていることを検出した場合には、トレイ制御手段１７は可動トレイ１０に対して光ディスクを装置外部に搬出する指示を出力してＲＦＩＤチップ搭載記録媒体を外部に搬出する（ステップＳ９）。
【００４０】
尚、ＲＦＩＤチップを搭載していない記録媒体であることを検出した場合には、図１の点線で示したように、例えば時間管理データベース２０を設けておき、このデータベース２０に返却期限日数を予め様々なバリエーションで記録させておき（一般的に返却期限の最大日数は一週間であるが、それ以外に１日、３日、５日などを記録しておく。）、利用者がボタン操作により適当な日数を設定して、その設定日前日や当日になると可動トレイ１０を強制的に開扉して光ディスク１１を外部に搬出することや、フロントパネルの表示手段に警告情報を表示することや、音声により警告情報を報知するようにする。
【００４１】
これによりＲＦＩＤチップ搭載記録媒体でない光ディスク１１をレンタルした場合でもコンテンツ情報を再生できると共に、返却期限日を事前に通知して返却遅れや返却漏れを低減させることができる。
【００４２】
このように上記構成及び動作を有する情報再生装置１によれば、レンタル店で賃借したＲＦＩＤチップ搭載記録媒体１１を返却期限日前に強制的に通知することができるので、利用者の返却期限忘れに伴う返却遅れ及び返却漏れを低減させることができる。またＲＦＩＤチップが搭載されていない場合は、通常のコンテンツ情報再生動作に速やかに移行するのでＲＦＩＤチップ搭載記録媒体以外の媒体であってもコンテンツを再生するこができる。
【００４３】
次に図４、図５を参照して本発明の情報再生装置２を用いたレンタルシステム３、及び第２の実施の形態に係る情報再生装置２の構成について説明する。図４は、本発明の情報再生装置２を用いた光ディスク１１のレンタルシステム３の構成を示すシステム図である。また図５は、本発明の第２の実施の形態に係る情報再生装置２の構成を示すブロック図である。更に図６は、本発明の情報再生装置２の動作を説明するためのフローチャートである。
【００４４】
まず図４を参照して情報再生装置２を用いたレンタルシステム３の構成を説明する。
【００４５】
このレンタルシステム３は、光ディスク１１のデータ領域に予めコンテンツ情報が記録され、このデータ領域以外の領域に少なくとも返却期限日を含む貸出条件情報が記録されている光ディスクをレンタルするレンタルシステムあって、特に、ＲＦＩＤチップ搭載記録媒体のＲＦＩＤチップに記録されているコンテンツタイトルや返却期限日等の貸出条件情報を読出して、利用者に事前に返却期限日を報知するレンタルシステムである。
【００４６】
このレンタルシステム３は、レンタル店に設置された貸出制御装置４０と、自宅等に設置された情報再生装置２と、通信回線網（例えばインターネット）３０を介して接続される情報端末装置（例えばパーソナルコンピュータ（以下、ＰＣと称す。））５０と、情報携帯端末装置（例えば携帯電話（以下、単に携帯電話と称す。））５１で少なくとも構成されている。
【００４７】
ここで貸出制御装置４０は、主にレンタル店に設置されている装置であり、この装置によりＲＦＩＤチップを搭載した光ディスク１１のＲＦＩＤチップにコンテンツタイトルと返却期限日時などの貸出条件情報が記載される。情報再生装置２は、第１の実施の形態で説明した情報再生装置１とほぼ同じ構成を有しているが、通信回線網（有線又は無線）を介して利用者が所有する情報端末装置に情報を伝送する点において構成が異なる。この情報再生装置２については図５を参照して後述する。また本発明に用いる通信回線は、有線又は無線のどちらを用いても良いが、本実施の形態ではインターネット通信回線網を例に挙げて説明する。
【００４８】
次にこのレンタルシステム３の動作を説明する。
【００４９】
利用者はレンタル店で音楽、映画、映像、ゲーム等のコンテンツが記録されたＣＤ、ＤＶＤ、ＢＤ（Blu-ray Disc）、ＨＤ−ＤＶＤなどのＲＦＩＤチップを搭載したＲＦＩＤチップ搭載記録媒体をレンタルする。このときレンタル店の貸出制御装置４０でレンタル対象の全媒体（全貸出商品）の管理情報と貸出条件情報を制御装置に接続されているハードディスク（図示せず）に記録しておき、これと同時にＲＦＩＤチップ搭載記録媒体のＲＦＩＤチップに返却期限日、コンテンツタイトルなどを書込む。
【００５０】
利用者はＲＦＩＤチップ搭載記録媒体に記録されている音楽、映画、映像、ゲーム等のコンテンツを情報再生装置２を用いて再生する。このＲＦＩＤチップ搭載記録媒体が返却期限日や利用者の指定した設定日（例えば返却期限の１日前など）になっても情報再生装置２に挿入されたままになっている場合は、利用者が事前に設定したＰＣ５０や携帯電話５１などのメールアドレスにコンテンツタイトル及び返却期限日を通知する。
【００５１】
次に図５を参照して、この情報再生装置２の構成を説明する。本発明の情報再生装置２は、第１の実施の形態に示した情報再生装置１とほぼ同じ構成を有している。即ち、光ディスク１１からコンテンツ情報及び貸出条件情報を読み出す読出手段１３と、予め設定された返却期限日時を管理する時間管理手段１４と、読出手段１３で読み出された貸出条件情報に含まれる返却期限日時と時間管理手段で管理されている返却期限日時を比較する比較手段１８（図省略）と、比較手段で比較された結果、貸出条件情報に含まれる返却期限日時が時間管理手段で管理されている返却期限日時に達していると判定した場合には返却期限日時を含む出力信号を外部に出力する出力手段１６と、この出力信号に基づいて可動トレイ１０を移動させる移動信号を出力し可動トレイ１０と共に光ディスク１１を外部に搬出する可動トレイ制御手段１７（図省略）と、出力手段１６に接続され有線若しくは無線により通信回線網３０と送受信可能に接続される通信回線接続手段２３を備え、通信回線接続手段２３には通信回線網３０を介して、出力手段１６から出力される出力信号を受信し、光学式大容量記憶媒体１１の返却を促す報知を行う少なくとも１個以上の情報端末装置５０，５１が接続されている。
【００５２】
本発明は、第１の実施の形態と比較して、利用者が所有する情報端末装置５０，５１に返却情報の報知を行うための手段として有線若しくは無線による送受信可能な通信回線接続手段２３を設けた点が異なる。そこで第１の実施の形態と同機能部については同符号を付しその説明を省略する。また第１の実施の形態に示した機能部であって図４に示していない機能部は図示していなくとも既に具備していることを前提とする。
【００５３】
尚ここで通信回線接続手段２３とは、インターネット３０と情報再生装置２の接続を確立する機能と、システム制御手段１５からの指令に基づいてインターネット３０に接続されている所定の端末に指定の情報を発信するための機能部である。  
図５を参照してこの通信回線接続手段２３を備える情報再生装置２の動作を説明する。尚、本フローチャートにおいて図３に示したフローチャートと同じステップについては同符号を付し詳細説明は省略する。
【００５４】
まず情報再生装置２のトレイにＲＦＩＤチップ搭載記録媒体を設定する。このＲＦＩＤチップ搭載記録媒体には、レンタル店に設置されているＲＦＩＤリード／ライターによりＲＦＩＤチップにコンテンツタイトル及び返却期限日が予め記録されている（ステップＳ１）。
【００５５】
情報再生装置２にＲＦＩＤチップ搭載記録媒体が設定され再生操作が入力されると、システム制御手段１５は、ＲＦＩＤ読出手段１３を駆動させてＲＦＩＤチップにコンテンツタイトル及び返却期限日が記録されているか否か確認する（ステップＳ２）。ＲＦＩＤチップが搭載されていない場合若しくは何も記録されていない場合は、ステップＳ８以降の貸出条件の読出しステップは行わず作業を終了してコンテンツの再生動作に移行する。
【００５６】
一方、コンテンツタイトルなどが記録されていること確認した場合には、ＲＦＩＤチップ搭載記録媒体１１がトレイに載置されているか否か確認する（ステップＳ８）。
【００５７】
次いで時間管理手段１４から現在の日付や時刻などを読み込み、既にステップＳ２で読み込まれた返却期限日と比較する。比較の結果、ＲＦＩＤチップ搭載記録媒体１１の返却期限日や利用者の指定した設定日（例えば返却期限の１日前など）に達していることを検出した場合にはステップＳ１０に進む。一方、未だ返却期限日等に達していないことを検出した場合にはステップＳ８に戻り、ステップＳ８、ステップＳ３〜Ｓ４の動作を繰返し行う（ステップＳ３〜Ｓ４）。
【００５８】
システム制御手段１５は、ステップＳ４において返却期限日に達していることが検出されたときに、利用者が事前に指定したＰＣ５０や携帯電話５１などの情報端末のメールアドレス宛にインターネット３０を介してコンテンツタイトル、返却期限日及び利用者の指定した設定日を通知する（ステップＳ１０）。
【００５９】
これによりレンタル店でレンタルした光ディスク１１の返却期限日前、又は予め設定した日に光ディスク１１を返却するように利用者対して通知を行うことができる。その結果、利用者の返却期限忘れによる返却漏れ及び返却遅れを低減させることができる。
【００６０】
また第１及び第２の実施の形態に示した情報再生装置１及び２の出力手段１６に返却期限日や利用者の指定した設定日である旨の警告を表示させる機能と、ＰＣ５０や携帯電話５１のメールアドレスにコンテンツタイトル及び返却期限日を知らせる警告通知を送信する機能を両方同時に行うようにしてもよく、この場合はより返却忘れの低減を期待することができる。
【００６１】
またＲＦＩＤチップを搭載していない記録媒体であることを検出した場合には、直ちにＲＦＩＤチップのアクセスを停止し、コンテンツ情報の再生作業に移行するが、ＲＦＩＤチップが搭載されていないことを検出した場合は、図４の点線で示したように、例えば時間管理データベース２４を設けておき、このデータベース２４に返却期限日数を予め様々なバリエーションで記録させておき（一般的に返却期限の最大日数は一週間であるが、それ以外に１日、３日、５日などを記録しておく。）、利用者がボタン操作により適当な日数を設定して、その設定日前日や当日になると可動トレイ１０を強制的に開扉して光ディスク１１を外部に搬出することや、フロントパネルの表示手段に警告情報を表示することや、利用者が所有する携帯端末５１に警告を通知するようにする。
【００６２】
これによりＲＦＩＤチップ搭載記録媒体でない光ディスク１１をレンタルした場合でもコンテンツ情報を再生できると共に、返却期限日を事前に通知して返却遅れや返却漏れを低減させることができる。
【図面の簡単な説明】
【００６３】
【図１】本発明の第１の実施の形態に係る情報再生装置１の構成を示すブロック図である。
【図２】情報再生装置１に具備される記録媒体再生手段１２の具体的な構成を示すブロック図である。
【図３】情報再生装置１の動作を説明するためのフローチャートである。
【図４】ＲＦＩＤチップ搭載記録媒体１１のレンタルシステムを説明するためのシステム構成図である。
【図５】本発明の第２の実施の形態に係る情報再生装置２の構成を示すブロック図である。
【図６】情報再生装置２の動作を説明するためのフローチャートである。
【図７】ＲＦＩＤチップ搭載記録媒体を上方から見た上面図である。
【図８】ＲＦＩＤチップ搭載記録媒体の断面図である。
【図９】ＲＦＩＤチップ、及び書込・読出手段の構成を示すブロック図である。
【符号の説明】
【００６４】
１，２…情報再生装置
３…レンタルシステム
１１…ＲＦＩＤチップ搭載記録媒体
１２…記録媒体再生手段
１３…ＲＦＩＤ読出手段
１４…時間管理手段
１５…システム制御手段
１６…出力手段
１７…トレイ制御手段
１８…比較判定手段
１９…外部入力手段
２１…ビデオ出力端子
２２…オーディオ出力端子
２３…インターネット接続手段
２４…時間管理データベース
３０…インターネット
４０…貸出制御装置
５０…ＰＣ
５１…情報携帯端末
１１１…ＲＦＩＤチップ搭載記録媒体
１１１ａ…ディスク本体
１１１ｂ…中心孔
１１１ｃ…記録膜
１１１ｄ…反射膜
１１１ｅ…保護膜
１１４…ＲＦＩＤチップ
１１６…コイル
１１７…ＩＣチップ
１１７ａ…電源回路
１１７ｂ…回路
１１７ｃ…変調回路
１１７ｄ…復調回路
１１７ｅ…ＣＰＵ
１１７ｆ…メモリ
１１８…絶縁性基材シート
１２０…書込・読出手段
１２１…ピックアップ
１２２…ＲＦ回路
１２３…データデコーダ
１２４…デマルチプレクサ
１２５…ビデオデコーダ
１２７…オーディオデコーダ
２００…書込・読出手段
【図１】
2006277886.tif 000003
【図２】
2006277886.tif 000004
【図３】
2006277886.tif 000005
【図４】
2006277886.tif 000006
【図５】
2006277886.tif 000007
【図６】
2006277886.tif 000008
【図７】
2006277886.tif 000009
【図８】
2006277886.tif 000010
【図９】
2006277886.tif 000011